(57)【特許請求の範囲】
【請求項１】
光源から射出された光束を画像情報に応じて変調する光変調装置と、
前記光変調装置で変調された光束を投写するための投写レンズと、
前記光変調装置を駆動するための第１制御装置と、
前記第１制御装置とは別に、所定の機能を提供するための第２制御装置と、
前記光変調装置、前記第１制御装置、および前記第２制御装置を収納する外装筐体と、
前記外装筐体外部の空気を吸気口に対向する第１導入口から内部に導入する第１ファンと、
前記吸気口から導入された前記外装筐体内部の空気を排気口から外部に排出する第２ファンと、
前記第１ファンの駆動により前記吸気口に対向する第１導入口から導入された空気を前記光変調装置に導くとともに、前記第２ファンの駆動により第１開口部を介して前記排気口に導く第１流路と、
前記第２ファンの駆動により前記吸気口に対向する第２導入口から導入された空気を前記第２制御装置に導くとともに、前記第２ファンの駆動により第２開口部を介して前記排気口に導く第２流路と、
前記第１流路に設けられ、前記第１導入口からの塵埃の侵入を防ぐ防塵フィルターと、を備え、
前記第２ファンは、排気ダクトに保持されるとともに、
前記排気ダクトは、前記排気口に対応して形成される排出部を有し、
前記第１開口部および前記第２開口部は、前記排気ダクトに設けられることを特徴とするプロジェクター。
【請求項２】
請求項１に記載のプロジェクターであって、
第２流路の少なくとも一部は、前記外装筐体に収納されるダクトにより形成されるとともに、前記ダクトは前記投写レンズを跨るように形成されていることを特徴とするプロジェクター。
【請求項３】
請求項１または２に記載のプロジェクターであって、
前記外装筐体は、前記投写レンズから射出される光束が通過する開口部を有し、
前記吸気口および前記排気口は、前記外装筐体の前記開口部が設けられた側に設けられ、前記吸気口と前記排気口とは、前記開口部を挟んだ位置に形成されていることを特徴とするプロジェクター。
【請求項４】
請求項１ないし３いずれか一項に記載のプロジェクターであって、
前記第２制御装置は、前記投写レンズを挟んで前記外装筐体内の前記排気口側とは反対側の前記吸気口側に配置されることを特徴とするプロジェクター。
【請求項５】
請求項１ないし３いずれか一項に記載のプロジェクターであって、
前記第２制御装置は、前記投写レンズに対して前記外装筐体内の前記吸気口側に配置され、前記光源は、前記投写レンズに対して前記外装筐体内の前記排気口側に配置されていることを特徴とするプロジェクター。
【請求項６】
請求項１ないし５いずれか一項に記載のプロジェクターであって、
前記第１流路の少なくとも一部は、前記外装筐体に収納されるダクトにより形成されることを特徴とするプロジェクター。
【請求項７】
請求項１ないし６いずれか一項に記載のプロジェクターであって、
前記第２制御装置は、無線通信が可能な無線装置であって、前記無線装置の受信部または送信部が、前記投写レンズから光束が射出される側を向いていることを特徴とするプロジェクター。
【発明の詳細な説明】
【技術分野】
【０００１】
本発明は、プロジェクターに関する。
【背景技術】
【０００２】
従来、光源から射出された光束を画像情報に応じて変調し、変調した光束をスクリーン等の投写面に拡大投写するプロジェクターが知られている。このプロジェクターに使用される光源としては、例えば、超高圧水銀灯等の放電型のランプが採用されている。このようなプロジェクターは、光源の点灯に伴う構成部品の発熱を抑制するために、冷却ファン等で構成された冷却構造が備えられている。また、近年、無線伝送技術の発展により、外部の装置から無線により送信された映像信号を受信する受信機を備えたシステムが提案されている（例えば、特許文献１参照）。
【０００３】
特許文献１に記載されている映像表示システムは、映像信号出力装置と、映像信号出力装置により出力された映像信号を無線で送信する送信機と、送信機により無線で送信された映像信号を受信する受信機と、受信機により受信した映像信号に基づいて映像を表示する投写型映像表示装置（液晶プロジェクター）により構成されている。そして、液晶プロジェクターは、受信機を構成する無線モジュールと、超高圧水銀ランプ等により構成された光源と、液晶パネルと、投写レンズとを備えている。
【先行技術文献】
【特許文献】
【０００４】
【特許文献１】特開２０１０−７４６７１号公報
【発明の概要】
【発明が解決しようとする課題】
【０００５】
しかしながら、特許文献１には記載されていないが、受信機が発熱することが考えられるため、液晶プロジェクター内に備えられた光源による発熱を抑制する冷却構造では冷却能力が不十分で、液晶パネル等の構成部品が劣化する恐れがある。そこで、この受信機を冷却するための構成を内部に設けると、プロジェクターが大型化するという課題がある。また、大型化を抑制するために、効率よく構成部品を冷却するための構成（冷却対象に効率よく風量や風速を送風する構成）を設定することが困難という課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光束を画像情報に応じて変調する光変調装置と、前記光変調装置で変調された光束を投写するための投写レンズと、前記光変調装置を駆動するための第１制御装置と、前記第１制御装置とは別に、所定の機能を提供するための第２制御装置と、前記光変調装置、前記第１制御装置、および前記第２制御装置を収納する外装筐体と、前記外装筐体外部の空気を吸気口から内部に導入する第１ファンと、前記吸気口から導入された前記外装筐体内部の空気を排気口から外部に排出する第２ファンと、前記第１ファンの駆動により前記吸気口から導入された空気を前記光変調装置に導く第１流路と、前記第２ファンの駆動により前記外装筐体内部の空気を前記第２制御装置を介して前記第２ファンに導く第２流路と、を備えることを特徴とする。
【０００８】
この構成によれば、プロジェクターは、第１の流路および第２流路を有している。そして、第１流路は、第１ファンの駆動により吸気口から導入された空気を光変調装置に導びき、第２流路は、第２ファンの駆動により外装筐体内部の空気を第２制御装置を介して第２ファンに導くように構成されている。そして、排気ファンは、排気口から外装筐体内部の空気を外部に排出する。これによって、第１流路および第２流路に流れる空気の互いの干渉を抑制することが可能となる。よって、光変調装置および第２制御装置を冷却するために、第１流路および第２流路に送風する風量や風速を制御することが容易となり、光変調装置および第２制御装置の効率的な冷却が可能となる。したがって、投写される画像の劣化や、第２制御装置の所定の機能の劣化、および光変調装置や第２制御装置の周辺部材の劣化を抑制することが可能となる。また、効率的な冷却が可能となるので、第１ファンや第２ファンを小型のファンで構成してプロジェクターの小型化を図ったり、第１ファンや第２ファンを大きな風量を送風可能なファンで構成してプロジェクターの低騒音化を図ったりすることが可能となる。
【０００９】
［適用例２］上記適用例に係るプロジェクターにおいて、前記外装筐体は、前記投写レンズから射出される光束が通過する開口部を有し、前記吸気口および前記排気口は、前記外装筐体の前記開口部が設けられた側に設けられ、前記吸気口と前記排気口とは、前記開口部を挟んだ位置に形成されていることが好ましい。
【００１０】
この構成によれば、吸気口および排気口は、外装筐体の、投写レンズから光束が射出される側と同一側に形成されることとなる。つまり、プロジェクターは、光変調装置および第２制御装置を冷却する空気を、投写される画像側から取り込んで、この画像側に排出することとなる。これによって、プロジェクターは、画像側とは異なる側の近傍に部材が配置された設置環境であっても、吸気口や排気口が塞がれることなく、光変調装置および第２制御装置を確実に冷却することが可能となる。また、プロジェクターは、投写される画像を観察する観察者が画像側とは異なる側の近傍に居る場合であっても、排気口から排気される空気が観察者に送風されることが抑制されるので、観察者の不快感を与えることなく画像の投影が可能となる。
したがって、光変調装置および第２制御装置の劣化を抑制しつつ、プロジェクターを設置する自由度や、観察者が画像を観察する位置の自由度が向上するプロジェクターの提供が可能となる。
【００１１】
［適用例３］上記適用例に係るプロジェクターにおいて、前記第２制御装置は、前記投写レンズを挟んで前記外装筐体内の前記排気口側とは反対側の前記吸気口側に配置され、前記第２流路は、前記投写レンズを跨るように形成されていることが好ましい。
【００１２】
この構成によれば、第２制御装置は、外装筐体内の吸気口側に配置されているので、吸気口から導入され、他の部材を冷却する前の冷却空気によって冷却されることが可能となり、効率的に冷却される。また、第２流路は、投写レンズに跨って形成されている。これによって、第２ファンが排気口側に配置されている構成において、デッドスペースになりがちな投写レンズの周囲のスペースを有効に利用して第２流路を形成することが可能となる。よって、第２制御装置の効率的な冷却構造を構成しつつプロジェクターの小型化が図れる。
【００１３】
［適用例４］上記適用例に係るプロジェクターにおいて、前記第２制御装置は、前記投写レンズに対して前記外装筐体内の前記吸気口側に配置され、前記光源は、前記投写レンズに対して前記外装筐体内の前記排気口側に配置されていることが好ましい。
【００１４】
この構成によれば、投写レンズを挟んで、第２制御装置は、吸気口側に配置され、光源は、排気口側に配置されている。これによって、第２制御装置と光源とを離間して配置し、光源を冷却した空気を第２流路を経ずに排気口から排出することが可能となる。よって、第２制御装置には、光源の熱が伝わりにくくなり、第２制御装置のより効率的な冷却が可能となる。
【００１５】
［適用例５］上記適用例に係るプロジェクターにおいて、前記第１流路および第２流路の少なくとも一部は、前記外装筐体に収納されるダクトにより形成されることが好ましい。
【００１６】
この構成によれば、第１流路および第２流路の少なくとも一部は、外装筐体に収納されるダクトにより形成されるので、流路の形状の自由度が向上する。よって、外装筐体内のスペースを有効に利用して第１流路および第２流路を形成することが可能となる。
【００１７】
［適用例６］上記適用例に係るプロジェクターにおいて、前記第２制御装置は、無線通信が可能な無線装置であって、前記無線装置の受信部または送信部が、前記投写レンズから光束が射出される側を向いていることが好ましい。
【００１８】
この構成によれば、第２制御装置は、無線通信が可能な無線装置なので、第２流路に流れる空気によって効率的に冷却され、無線による外部との通信を安定して行うことが可能となる。また、無線装置は、受信部または送信部が、投写レンズから光束が射出される側を向いている。これによって、無線装置の受信部または送信部は、投写された画像、つまりスクリーン等の投写面と対向するように配置されることとなる。よって、無線装置と通信を行う外部無線装置がスクリーン近傍に配置された状態、つまり、プロジェクターの使用環境において無線通信の妨げとなる障害が少ない状態と考えられるように外部無線装置が設置された状態において、無線装置は、この外部無線装置と確実に通信を行うことが可能となる。
【図面の簡単な説明】
【００１９】
【図１】本実施形態のプロジェクターの外観を示す斜視図。
【図２】本実施形態のプロジェクター内部を示す斜視図。
【図３】本実施形態の光学ユニットの概略構成を示す模式図。
【図４】本実施形態の無線装置および吸気側形成部の分解斜視図。
【図５】本実施形態の無線装置の斜視図。
【図６】本実施形態の吸気側形成部の斜視図。
【図７】本実施形態の排気側形成部の斜視図。
【発明を実施するための形態】
【００２０】
以下、本実施形態に係るプロジェクターについて、図面を参照して説明する。
本実施形態のプロジェクターは、光源から射出された光束を画像情報に応じて変調し、変調した光束を投写レンズにてスクリーン等に拡大投写する。また、本実施形態のプロジェクターは、外部の発信装置から送信された画像情報に対応する無線信号を受信し、この無線信号に応じた画像を投影できるように構成されている。
【００２１】
〔プロジェクターの主な構成〕
図１は、本実施形態のプロジェクター１の外観を示す斜視図である。図２は、プロジェクター１の内部を示す斜視図である。
プロジェクター１は、図１、図２に示すように、外装を構成する外装筐体２、防塵フィルター２６、第１制御装置（図示省略）、光源装置３１と投写レンズ３６とを有して略Ｌ字状に形成された光学ユニット３、第２制御装置としての無線装置４、および冷却装置５を備えている。
【００２２】
なお、具体的な図示は省略したが、外装筐体２内には、光源装置３１や第１制御装置等に電力を供給する電源装置や、入力端子部等が配置されている。入力端子部は、外部装置（コンピューターやビデオプレーヤー等）からの画像信号や音声信号等を入力可能な接続端子（ＨＤＭＩ（High Definition Multimedia Interface）端子、ビデオ端子、オーディオ端子等）を備えている。また、以下では、説明の便宜上、光源装置３１から光束が射出される方向を＋Ｘ方向（右方向）、投写レンズ３６から投写される光束の方向を＋Ｙ方向（前方向）、図１における上方向を＋Ｚ方向（上方向）として記載する。
【００２３】
外装筐体２は、合成樹脂製であり、第１制御装置、光学ユニット３、無線装置４、および冷却装置５等を収納する。外装筐体２は、図１に示すように、アッパーケース２１、ロアーケース２２、フロントケース２３およびランプ蓋２４等を備えており、これらは、ネジ等により固定されている。
【００２４】
アッパーケース２１は、図１に示すように、外装筐体２の上部を構成する。アッパーケース２１の上面には、後側にプロジェクター１の各種指示を行うための操作パネル２０が配置され、操作パネル２０の前方には、投写レンズ３６のズームレバー３６３１およびフォーカスレバー３６４４が露出している。
【００２５】
ロアーケース２２は、外装筐体２の下部を構成する。ロアーケース２２の下部には、プロジェクター１が机上等に設置される際に設置面に当接する脚部２５が設けられている。
【００２６】
フロントケース２３は、外装筐体２の前部を構成する。フロントケース２３の中央部には、図１に示すように、前方から見て円形の開口部２３１が形成されており、この開口部２３１の内側には、投写レンズ３６が配置されている。投写レンズ３６から射出される光束は、この開口部２３１を通過してスクリーン等に投写される。
フロントケース２３には、図１に示すように、開口部２３１の＋Ｘ側に、外部の空気が取り込まれる吸気口２３２が形成されている。吸気口２３２は、上下方向に延出する板状の部材が隙間を有して並設されたルーバー状に形成され、この吸気口２３２の内側には、後で詳細に説明するが、防塵フィルター２６が配置されている。
【００２７】
また、フロントケース２３には、開口部２３１の−Ｘ側に、外装筐体２内の温まった空気が外部に排出される排気口２３３が形成されている。排気口２３３は、上下方向に延出する板状の部材が隙間を有して並設されたルーバー状に形成されている。
このように、吸気口２３２および排気口２３３は、外装筐体２の開口部２３１が設けられた側に形成され、吸気口２３２と排気口２３３とは、開口部２３１を挟んだ位置に形成されている。
【００２８】
第１制御装置は、回路基板および回路基板に実装された制御部（図示省略）等の電子部品を有して構成されている。制御部は、ＣＰＵ（Central Processing Unit）やＲＯＭ（Read Only Memory）、ＲＡＭ（Random Access Memory）等を備え、コンピューターとして機能する。第１制御装置は、プロジェクター１の動作の制御、例えば、後述する光変調装置や第１ファン、第２ファンを駆動するための制御等を行う。
【００２９】
光学ユニット３は、第１制御装置による制御の下、光源３１１から射出された光束を光学的に処理して投写する。
図３は、光学ユニット３の概略構成を示す模式図である。光学ユニット３は、図３に示すように、光源３１１を有する光源装置３１、インテグレーター照明光学系３２、色分離光学系３３、リレー光学系３４、電気光学装置３５、投写レンズ３６、およびこれら光源装置３１〜投写レンズ３６を光路上の所定位置に配置する光学部品用筐体３７を備える。
光学ユニット３は、図３に示すように平面視略Ｌ字状に形成され、一方の端部に光源装置３１が着脱可能に配置され、他方の端部に投写レンズ３６が配置される。そして、光源装置３１は、図２に示すように、投写レンズ３６に対して排気口２３３（図１参照）側に配置されている。
【００３０】
光源装置３１は、超高圧水銀ランプやメタルハライドランプ等からなる放電型の光源３１１、リフレクター３１２および光透過部材としての平行化レンズ３１３等を備えている。光源装置３１は、光源３１１から射出された光束をリフレクター３１２にて反射した後、平行化レンズ３１３よって射出方向を揃え、インテグレーター照明光学系３２に向けて射出する。
【００３１】
インテグレーター照明光学系３２は、第１レンズアレイ３２１、第２レンズアレイ３２２、偏光変換素子３２３、および重畳レンズ３２４を備える。
第１レンズアレイ３２１は、光源装置３１から射出された光束を複数の部分光束に分割する光学素子であり、光源装置３１から射出された光束の光軸Ｃに対して略直交する面内にマトリックス状に配列される複数の小レンズを備えている。
【００３２】
第２レンズアレイ３２２は、第１レンズアレイ３２１と略同様の構成を有しており、重畳レンズ３２４とともに、第１レンズアレイ３２１から射出された部分光束を後述する液晶ライトバルブ３５１の表面に重畳させる。
偏光変換素子３２３は、第２レンズアレイ３２２から射出されたランダム光を液晶ライトバルブ３５１で利用可能な略１種類の偏光に揃える機能を有する。
【００３３】
色分離光学系３３は、２枚のダイクロイックミラー３３１，３３２、および反射ミラー３３３を備え、インテグレーター照明光学系３２から射出された光束を赤色光（以下「Ｒ光」という）、緑色光（以下「Ｇ光」という）、青色光（以下「Ｂ光」という）の３色の色光に分離する機能を有する。
【００３４】
リレー光学系３４は、入射側レンズ３４１、リレーレンズ３４３、および反射ミラー３４２，３４４を備え、色分離光学系３３で分離されたＲ光をＲ光用の液晶ライトバルブ３５１Ｒまで導く機能を有する。なお、光学ユニット３は、リレー光学系３４がＲ光を導く構成としているが、これに限らず、例えば、Ｂ光を導く構成としてもよい。
【００３５】
電気光学装置３５は、光変調装置としての液晶ライトバルブ３５１および色合成光学装置としてクロスダイクロイックプリズム３５２を備え、色分離光学系３３で分離された各色光を画像情報に応じて変調し、変調した各色光を合成する。
【００３６】
液晶ライトバルブ３５１は、３色の色光毎に備えられており（Ｒ光用の液晶ライトバルブを３５１Ｒ、Ｇ光用の液晶ライトバルブを３５１Ｇ、Ｂ光用の液晶ライトバルブを３５１Ｂとする）、それぞれ透過型の液晶パネル、およびその両面に配置された入射側偏光板、射出側偏光板を有している。
【００３７】
液晶ライトバルブ３５１は、図示しない微小画素がマトリクス状に形成された矩形状の画素領域を有し、各画素が画像情報に応じた光透過率に設定され、画素領域内に表示画像を形成する。そして、色分離光学系３３で分離された各色光は、液晶ライトバルブ３５１にて変調された後、クロスダイクロイックプリズム３５２に射出される。
【００３８】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、液晶ライトバルブ３５１Ｒ，３５１Ｂにて変調された色光を反射し、液晶ライトバルブ３５１Ｇにて変調された色光を透過して、各色光を合成する。
【００３９】
投写レンズ３６は、複数のレンズを有して構成され、液晶ライトバルブ３５１にて変調され、クロスダイクロイックプリズム３５２にて合成された光束をスクリーン上に拡大投写する。また、投写レンズ３６は、図２に示すように、投写された画像のズーム調整、フォーカス調整を行うためのズームリング３６３、フォーカスリング３６４を備え、それぞれの部材には、ズームレバー３６３１、フォーカスレバー３６４４が設けられている。
光学ユニット３は、ロアーケース２２にネジ固定される。
【００４０】
第２制御装置としての無線装置４は、第１制御装置とは別に、所定の機能を提供するために設けられている。本実施形態の無線装置４は、プロジェクター１外部の発信装置から送信された画像情報に対応する無線信号を受信する。本実施形態の無線装置４は、ＷｉＨＤ（Wireless High Definition）方式の高速無線通信が可能に構成され、入力端子部のＨＤＭＩ端子および第１制御装置に接続される。そして、第１制御装置は、無線装置４から出力された信号に基づいて光学ユニット３を制御して無線信号に対応する画像を投影させる。なお、無線装置４については、後で詳細に説明する。
【００４１】
冷却装置５は、図２に示すように、投写レンズ３６に対して外装筐体２内の吸気口２３２側（＋Ｘ側）に一部が配置される吸気側形成部５１、および投写レンズ３６に対して外装筐体２内の排気口２３３側（−Ｘ側）に配置される排気側形成部５２を備えている。
図４は、無線装置４および吸気側形成部５１の分解斜視図である。
吸気側形成部５１は、図４に示すように、第１ファンとしての２つの吸気ファン５１Ｆ、およびダクト６を備えている。そして、無線装置４は、このダクト６内に収納される。つまり、無線装置４は、投写レンズ３６に対して外装筐体２内の吸気口２３２（図１参照）側に配置され、投写レンズ３６に対して排気口２３３（図１参照）側に配置さている光源装置３１と離間して配置されている。
【００４２】
排気側形成部５２は、図２に示すように、第２ファンとしての排気ファン５２Ｆを備えている。
そして、冷却装置５は、外装筐体２の吸気口２３２から導入した外部の空気を内部に流通させ、光学ユニット３や無線装置４等を冷却し、冷却して暖まった空気を排気口２３３から排出するように構成されている。冷却装置５については、後で詳細に説明する。
【００４３】
〔無線装置の構成〕
ここで、無線装置４について詳細に説明する。
図５は、無線装置４の斜視図であり、（ａ）は、前方斜めから見た図、（ｂ）は、後方斜めから見た図である。
無線装置４は、図５に示すように、平面視長方形状の回路基板４１、無線信号を受信する受信部４２、受信した信号を処理する回路素子（図示省略）、接続端子４３、第１制御装置に接続される制御接続部（図示省略）およびヒートシンク４４を備えている。
【００４４】
受信部４２は、回路基板４１の長手方向における一方の端部近傍に実装され、接続端子４３は、回路基板４１の長手方向における他方の端部近傍に実装されている。
ヒートシンク４４は、回路基板４１の受信部４２が実装された側の反対側に取り付けられている。ヒートシンク４４は、平面視における回路基板４１と同等サイズのベース部、およびベース部から板状に突出する複数のリブを有して形成されている。複数のリブは、回路基板４１の短手方向に延出するように形成されている。
【００４５】
無線装置４は、図４に示すように、受信部４２（図５参照）が前方を向き、接続端子４３が＋Ｘ側となるように配置される。また、無線装置４は、＋Ｘ側（接続端子４３側）が−Ｘ側より後方（−Ｙ方向）に位置するようにＸ−Ｚ平面に対して傾斜し、ヒートシンク４４のリブが上下方向に延出するように配置される。このように、無線装置４が傾斜して配置されることによって、プロジェクター１の左右方向における大型化が抑制されている。
そして、無線装置４は、接続端子４３がＨＤＭＩケーブル４５を介して入力端子部のＨＤＭＩ端子（図示省略）に接続され、制御接続部（図示省略）が図示しないケーブルを介して第１制御装置に接続される。
【００４６】
〔冷却装置の構成〕
次に、冷却装置５について詳細に説明する。
冷却装置５は、前述したように、吸気側形成部５１および排気側形成部５２を備え、ロアーケース２２に取り付けられている。
〔吸気側形成部の構成〕
先ず、吸気側形成部５１について説明する。吸気側形成部５１は、前述したように、２つの吸気ファン５１Ｆ、およびダクト６を備え、吸気ファン５１Ｆは、シロッコファンで構成されている。
【００４７】
図６は、吸気側形成部５１の斜視図である。
ダクト６は、図４、図６に示すように、上枠６Ｕ、下枠６Ｄ、レンズ経路部２０３、および蓋体６Ｃを備え、これらの部材が組み合わせられることによって、２つの流路が形成される。具体的に、ダクト６には、吸気ファン５１Ｆの駆動によって、吸気口２３２から導入された空気を電気光学装置３５および偏光変換素子３２３に導く第１流路１００、および排気ファン５２Ｆの駆動によって、吸気口２３２から導入された空気を無線装置４を介して排気ファン５２Ｆに導く第２流路２００が設けられている。
【００４８】
〔第１流路の構成〕
第１流路１００は、図６に示すように、ダクト６のファン収納部１０２および導出部１０３で形成されている。
ファン収納部１０２は、図４、図６に示すように、上枠６Ｕと下枠６Ｄとで箱状に形成され、２つの吸気ファン５１Ｆを収納する。２つの吸気ファン５１Ｆは、空気を吸入する吸入口が上側となり、前後方向（Ｙ方向）に並んでファン収納部１０２に配置される。
【００４９】
また、ファン収納部１０２の前側上部には、図６に示すように、無線装置４（図４参照）を収納し、第２流路２００の一部を形成する箱状の無線装置収納部２０２が設けられている。無線装置収納部２０２については、後で詳細に説明する。そして、無線装置収納部２０２下方のファン収納部１０２の前面には、開口部（第１導入口１０１）が設けられている。第１導入口１０１は、外装筐体２の吸気口２３２（図１参照）の内側に位置し、吸気口２３２の略下半分に対応する位置に形成されている。
そして、この第１導入口１０１の内側には、防塵フィルター２６が着脱可能に配置されている。
【００５０】
ここで、防塵フィルター２６について、説明する。
防塵フィルター２６は、図４に示すように、フィルター本体２６１およびフィルター枠２６２を備え、外気に混在する塵埃が第１導入口１０１からプロジェクター１内部に侵入することを抑制する。
フィルター本体２６１は、通気性を有し、塵埃の通過を抑制する部材で形成され、第１導入口１０１を覆う大きさで、直方体状に形成されている。
【００５１】
フィルター枠２６２は、フィルター本体２６１の外周を保持するように形成され、右側（＋Ｘ側）の端部には、外装筐体２から露出する把持部２６３が設けられている（図１参照）。把持部２６３は、図１に示すように、外装筐体２の外面に倣う形状を有している。
【００５２】
防塵フィルター２６は、第１導入口１０１の左右の両側に設けられたダクト６の案内部６１（図４、図６参照）に案内され、左右方向にスライド移動可能に構成されている。そして、防塵フィルター２６は、把持部２６３が把持されてダクト６および外装筐体２から引出されると、フィルター本体２６１の交換が可能となる。
【００５３】
ここで、第１流路１００の説明に戻る。
導出部１０３は、上枠６Ｕと、下枠６Ｄとで筒状に形成され、図６に示すように、ファン収納部１０２の−Ｘ側の側面に接続して形成されている。導出部１０３は、吸気ファン５１Ｆから吐出された空気を電気光学装置３５および偏光変換素子３２３に導くように形成されている。導出部１０３は、光学ユニット３の下方に配置され（図２参照）、先端部近傍には、図６に示すように、電気光学装置３５（図３参照）の下方に位置する開口部１０３１、および偏光変換素子３２３（図３参照）の下方に位置する開口部１０３２が形成されている。
【００５４】
そして、吸気ファン５１Ｆが駆動されると、外装筐体２外部の空気は、吸気口２３２から第１導入口１０１を通過して導入される（図６における空気の流れＦ１０）。そして、第１導入口１０１から導入された空気は、防塵フィルター２６を介してファン収納部１０２に流通して吸気ファン５１Ｆの吸入口に吸入される（図６における空気の流れＦ１１）。
【００５５】
そして、吸気ファン５１Ｆの吸入口に吸入された空気は、吸気ファン５１Ｆの吐出口から吐出され、導出部１０３を流通して（図６における空気の流れＦ１２）開口部１０３１，１０３２から排出され（図６における空気の流れＦ１３，１４）、電気光学装置３５および偏光変換素子３２３を冷却する。
【００５６】
このように、吸気ファン５１Ｆの駆動によって、第１流路１００には、第１導入口１０１、ファン収納部１０２および導出部１０３に順次空気が流通する。そして、電気光学装置３５および偏光変換素子３２３は、第１流路１００に流通する空気（流れＦ１０〜Ｆ１４）によって冷却される。
【００５７】
〔第２流路の構成〕
第２流路２００は、図６に示すように、ダクト６の無線装置収納部２０２およびレンズ経路部２０３で形成されている。
無線装置収納部２０２は、図６に示すように、第１導入口１０１および防塵フィルター２６の上方に形成されている。無線装置収納部２０２は、上枠６Ｕに形成された上方に開口する部位と、この開口部を閉塞する蓋体６Ｃとで形成されている。
【００５８】
無線装置収納部２０２は、前述したように、無線装置４をＸ−Ｚ平面に対して傾斜させ、ヒートシンク４４のリブが上下方向に延出するように収納する（図４参照）。そして、無線装置収納部２０２の前面には、図６に示すように、第１導入口１０１の上方に位置する複数の開口部（第２導入口２０１）が設けられている。複数の第２導入口２０１は、外装筐体２の吸気口２３２（図１参照）の内側に位置し、第１導入口１０１の上側の縁部近傍に沿って形成されている。無線装置収納部２０２に収納される無線装置４は、投写レンズ３６に対して吸気口２３２側で吸気口２３２の近傍に配置されることとなる。また、無線装置４は、受信部４２が投写レンズ３６から光束が射出される側を向いて配置される。
【００５９】
また、第２導入口２０１は、プロジェクター１の外部から人の指が無線装置収納部２０２に収納された無線装置４に触れられないような大きさに形成され、安全性が図られている。なお、第１導入口１０１および第２導入口２０１の周囲には、図６に示すように、吸気口２３２の内周縁に対応する帯状の突起６２が設けられている。そして、突起６２の外側には、クッション材（図示省略）が配置され、外装筐体２とダクト６との隙間から第１流路１００に塵埃が進入しないように構成されている。
【００６０】
レンズ経路部２０３は、図６に示すように、無線装置収納部２０２の−Ｘ側の側面に着脱可能に接続され、無線装置収納部２０２内を流通した空気が流通するように形成されている。また、レンズ経路部２０３は、図２に示すように、投写レンズ３６に跨って設けられており、具体的には、ズームリング３６３後方の投写レンズ３６の上方に配置される。そして、レンズ経路部２０３の先端部は、排気側形成部５２に挿入される。
【００６１】
第２流路２００には、排気ファン５２Ｆが駆動されることによって空気が流通する。
排気ファン５２Ｆが駆動されると、外装筐体２外部の空気は、吸気口２３２から第２導入口２０１を通過して導入される（図６における空気の流れＦ２０）。第２導入口２０１から導入された空気は、無線装置収納部２０２内の無線装置４に送風され、上下方向に延出するヒートシンク４４のリブに沿って流通し、無線装置４を冷却する（図６における空気の流れＦ２１）。
【００６２】
そして、無線装置４を冷却した空気は、レンズ経路部２０３を流通して（図６における空気の流れＦ２２）、レンズ経路部２０３の先端から排気側形成部５２（図２参照）に排出される（図６における空気の流れＦ２３）。
【００６３】
このように、排気ファン５２Ｆの駆動によって、第２流路２００には、第２導入口２０１、無線装置収納部２０２およびレンズ経路部２０３に順次空気が流通する。そして、無線装置４は、第２流路２００に流通する空気（流れＦ２０〜Ｆ２３）によって冷却される。
【００６４】
このように、ダクト６は、吸気ファン５１Ｆおよび排気ファン５２Ｆの駆動によって、共通の吸気口２３２から導入した外部の空気を２つの流路（第１流路１００、第２流路２００）に分岐させ、電気光学装置３５および偏光変換素子３２３と、無線装置４とに流通させる。
【００６５】
〔排気側形成部の構成〕
次に、排気側形成部５２について説明する。
排気側形成部５２は、光源装置３１と排気口２３３との間に配置される。
図７は、排気側形成部５２の斜視図であり、（ａ）は、前方斜めから見た図、（ｂ）は、後方斜めから見た図である。
排気側形成部５２は、図７に示すように、排気ファン５２Ｆに加え、排気ダクト７を備えている。
【００６６】
排気ファン５２Ｆは、軸流ファンで構成されている。
排気ダクト７は、図７に示すように、上部を形成する上枠７Ｕ、および下部を形成する下枠７Ｄを備えている。排気ダクト７は、上枠７Ｕと下枠７Ｄとが組み合わせられることによって、排気ファン５２Ｆの外周を保持し、排気ファン５２Ｆに流入する空気、および排気ファン５２Ｆから排出される空気を案内する。
【００６７】
排気ダクト７は、図７に示すように、排気ファン５２Ｆを保持する保持部７１、保持部７１の−Ｙ側（排気ファン５２Ｆへ空気が流入する側）に形成された流入部７２、および保持部７１の＋Ｙ側（排気ファン５２Ｆから空気が排出される側）に形成された排出部７３を有している。
【００６８】
流入部７２は、図２に示すように、光学ユニット３の近傍まで延出するように形成され、図７（ｂ）に示すように、開口部７２１，７２２，７２３が設けられている。
開口部７２１は、光源装置３１に対応する位置に平面視矩形状に形成されている。開口部７２２は、開口部７２１の＋Ｘ方向に設けられており、上下方向が長手方向となる平面視矩形状に形成されている。
【００６９】
そして、排気ファン５２Ｆが駆動されることによって、開口部７２１には、光源装置３１を冷却して温まった空気等が流入し（図７における空気の流れＦ３１）、開口部７２２には、電気光学装置３５や偏光変換素子３２３、および電源装置等を冷却して温まった空気が流入する（図７における空気の流れＦ３２）。
【００７０】
開口部７２３は、図７に示すように、流入部７２の＋Ｘ側に形成されており、この開口部７２３の下側の縁部には、板状の突起部７２４が設けられている。突起部７２４の上面には、ダクト６のレンズ経路部２０３の先端が配置され、図２に示すように、開口部７２３は、レンズ経路部２０３と連通する。つまり、レンズ経路部２０３の先端から排出された空気（図６における空気の流れＦ２３）は、この開口部７２３から排気ファン５２Ｆに流入する。すなわち、第２流路２００は、吸気口２３２から導入した空気を無線装置４を介して排気ファン５２Ｆに導くこととなる。
【００７１】
排出部７３は、外装筐体２の排気口２３３に対応して形成された開口部７３１を有し、筒状に形成されている。そして、排気ファン５２Ｆが駆動されることによって、開口部７２１，７２２，７２３から流入する空気は、開口部７３１および排気口２３３を通過して外装筐体２外部に排出される（図７における空気の流れＦ４０）。
【００７２】
このように、排気側形成部５２は、吸気口２３２から導入され、第１流路１００および第２流路２００を流通した外装筐体２内部の空気、つまり、電気光学装置３５や偏光変換素子３２３等を冷却して温まった空気、および無線装置４を冷却して温まった空気をまとめて外部に排出する。そして、光源装置３１を冷却して温まった空気は、第２流路２００を経ずに排気口２３３から排出される。
【００７３】
以上説明したように、本実施形態のプロジェクター１によれば、以下の効果を得ることができる。
（１）第１流路１００および第２流路２００に流れる空気は、互いに干渉されることが抑制される。よって、電気光学装置３５や偏光変換素子３２３、および無線装置４を冷却するために、第１流路１００および第２流路２００に送風する風量や風速を制御すること、つまり吸気ファン５１Ｆおよび排気ファン５２Ｆの駆動制御等が容易となり、電気光学装置３５、偏光変換素子３２３、および無線装置４の効率的な冷却が可能となる。したがって、投写される画像の高温による画質の劣化や、無線装置４の通信性能の劣化、および電気光学装置３５や無線装置４の周辺部材の劣化を抑制することが可能となる。
また、効率的な冷却が可能となるので、吸気ファン５１Ｆや排気ファン５２Ｆを小型のファンで構成してプロジェクター１の小型化を図ったり、吸気ファン５１Ｆや排気ファン５２Ｆを大きな風量を送風可能なファンで構成してプロジェクター１の低騒音化を図ったりすることが可能となる。
【００７４】
（２）吸気口２３２および排気口２３３は、外装筐体２の、投写レンズ３６から光束が射出される側と同一側に形成されている。つまり、プロジェクター１は、電気光学装置３５、偏光変換素子３２３、および無線装置４を冷却する空気を、前方（投写される画像側）から取り込んで、前方に排出する。これによって、プロジェクター１は、プロジェクター１の左右近傍や後方近傍に部材が配置された設置環境であっても、吸気口２３２や排気口２３３が塞がれることなく、電気光学装置３５、偏光変換素子３２３、および無線装置４を確実に冷却することが可能となる。また、プロジェクター１は、プロジェクター１の左右近傍や後方近傍に画像を観察する観察者が位置する場合であっても、排気口２３３から排気される空気が観察者に送風されることが抑制されるので、観察者に不快感を与えることなく、画像の投影が可能となる。
したがって、電気光学装置３５、偏光変換素子３２３、および無線装置４の劣化を抑制し、プロジェクター１を設置する自由度や、観察者が画像を観察する位置の自由度が向上するプロジェクター１の提供が可能となる。
【００７５】
（３）無線装置４は、吸気口２３２近傍に配置されているので、吸気口２３２から導入され、他の部材を冷却する前の冷却空気によって、より効率的に冷却される。
また、第２流路２００の一部を形成するレンズ経路部２０３が投写レンズ３６に跨って形成されている。これによって、デッドスペースになりがちな投写レンズ３６の周囲のスペースを有効に利用して、排気口２３３側に配置された排気ファン５２Ｆに接続する第２流路２００を形成できる。よって、効率的な冷却構造を構成しつつプロジェクター１の小型化が図れる。
【００７６】
（４）無線装置４と光源３１１とは、離間して配置され、光源３１１を冷却した空気が第２流路２００を経ずに排気口２３３から排出される。これによって、無線装置４には、光源３１１の熱が伝わりにくくなり、無線装置４のより効率的な冷却が可能となる。
【００７７】
（５）無線装置４は、受信部４２が、投写レンズ３６から光束が射出される側を向くように配置されている。これによって、無線装置４の受信部４２は、投写された画像、つまりスクリーン等の投写面と対向するように配置されることとなる。よって、無線装置４と通信を行う外部の発信装置がスクリーン近傍に配置された状態、つまり、プロジェクター１の使用環境において無線通信の妨げとなる障害が少ない状態と考えられるように発信装置が設置された状態において、無線装置４は、この発信装置と確実に通信を行うことが可能となる。
【００７８】
（６）吸気口２３２は、１箇所に設けられ、この吸気口２３２から導入された空気は、第１流路１００と第２流路２００とに分岐して外装筐体２内に流通する。これによって、第１流路１００および第２流路２００にそれぞれ対応する吸気口２３２を個別に設ける必要がないので、外装筐体２に開口する箇所を少なく構成でき、プロジェクター１のデザイン性の向上が図れる。
【００７９】
（７）排気ファン５２Ｆは、電気光学装置３５や偏光変換素子３２３を冷却して温まった空気、および無線装置４を冷却して温まった空気を排気口２３３からまとめて排出する。これによって、排気口２３３を１箇所に構成できるので、第１流路１００および第２流路２００にそれぞれ対応する排気口を個別に設ける構成に比べ、プロジェクター１の小型化やデザイン性の向上が図れる。
【００８０】
（８）レンズ経路部２０３は、無線装置収納部２０２に着脱可能に構成されているので、冷却装置５がロアーケース２２に取り付けられた状態で、レンズ経路部２０３を取り外すことで、光学ユニット３や投写レンズ３６をロアーケース２２から取り外すことができる。よって、各部品の交換がし易く、製造工程やアフターサービスの際の作業性の向上が図れる。
【００８１】
（９）第１導入口１０１の内側には、防塵フィルター２６が配置されているので、第１流路１００において、防塵フィルター２６以降の流路への塵埃の侵入の抑制が可能となる。よって、吸気口２３２から導入される空気に混在する塵埃が電気光学装置３５に付着することが抑制され、投写される画像の高品位の画質の維持が可能となる。
【００８２】
（変形例）
なお、前記実施形態は、以下のように変更してもよい。
前記実施形態では、無線装置４が第１導入口１０１の上方に位置するように構成されているが、無線装置４と第１導入口１０１とを上下反転させて配置する構成としてもよい。
また、無線装置４が第１導入口１０１の下方に位置する構成の場合、第２導入口２０１を無線装置収納部２０２の底面に設け、この第２導入口２０１に連通する吸気口２３２を外装筐体２の底面等に構成してもよい。
【００８３】
前記実施形態では、第１導入口１０１と第２導入口２０１とが上下方向に並設するように構成されているが、第１導入口１０１と第２導入口２０１とが左右方向に並設されるように構成してもよい。
【００８４】
前記実施形態の無線装置４は、ＷｉＨＤ方式の高速無線通信が可能に構成されているが、この信号に限らず他の無線通信、例えば無線ＬＡＮ（Local Area Network）通信等が可能な無線信号を受信する無線装置４として構成してもよい。また、外部の装置に無線で信号を送信する装置を無線装置４として構成してもよい。
【００８５】
前記実施形態では、無線装置４を第２制御装置として構成しているが、第１制御装置とは別に、所定の機能を提供するための装置であり、高温となる装置であれば、無線装置４に限らず、他の装置を第２制御装置として構成してもよい。
【００８６】
前記実施形態では、第１流路１００および第２流路２００は、ダクト６によって形成されているが、第１流路１００および第２流路２００の少なくとも一部を形成し、外装筐体２内に収納されるダクトと、このダクト以外の部材、例えば外装筐体２の一部とを用いて第１流路１００および第２流路２００を形成してもよい。
【００８７】
前記実施形態の第１流路１００および第２流路２００は、共通の吸気口２３２から導入した空気が流通するように構成されているが、第１流路１００および第２流路２００それぞれに対応する吸気口を個別に設けるように構成してもよい。
【００８８】
前記実施形態の第２流路２００は、吸気口２３２から導入した空気が無線装置４を介して排気ファン５２Ｆに導かれるように形成されているが、吸気口２３２とは異なり、外装筐体２内に設けられた空気導入口から導入した空気が無線装置４を介して排気ファン５２Ｆに導かれるように形成してもよい。
【００８９】
前記実施形態のプロジェクター１は、光変調装置として透過型の液晶ライトバルブ３５１を用いているが、反射型液晶ライトバルブを利用したものであってもよい。
【００９０】
光源３１１は放電型のランプに限らず、その他の方式のランプや発光ダイオード等の固体光源で構成してもよい。
【符号の説明】
【００９１】
１…プロジェクター、２…外装筐体、３…光学ユニット、４…無線装置、５…冷却装置、６…ダクト、７…排気ダクト、２６…防塵フィルター、３１…光源装置、３５…電気光学装置、３６…投写レンズ、５１…吸気側形成部、５１Ｆ…吸気ファン、５２…排気側形成部、５２Ｆ…排気ファン、１００…第１流路、１０１…第１導入口、１０２…ファン収納部、１０３…導出部、２００…第２流路、２０１…第２導入口、２０２…無線装置収納部、２０３…レンズ経路部、２３２…吸気口、２３３…排気口、３１１…光源、３２３…偏光変換素子、３５１，３５１Ｂ，３５１Ｇ，３５１Ｒ…液晶ライトバルブ。
【図１】
0005957863.tif 000002
【図２】
0005957863.tif 000003
【図３】
0005957863.tif 000004
【図４】
0005957863.tif 000005
【図５】
0005957863.tif 000006
【図６】
0005957863.tif 000007
【図７】
0005957863.tif 000008